(57)【要約】【課題】本発明は電気スタンドを開示した。【解決手段】固定ベースを含み、前記固定ベースの内部には第一モーターが設置され、第一連結軸と回転軸との連結部には軸を回転する時に連結させたり切断させたりする離合機構が設置され、前記第二伝動軸のうち前記伝動空間の内部には第二伝動軸を回転する時に連結させたり切断させたりする離合機構が固定的に嵌装され、第三伝動軸の左端のうち圧縮空間の内部には電球の温度を下げられる冷却システムが設置され、回転プレートの上端面には凸レンズを反転できる反転機構が設置され、頂板の下端面には下に開口した電球空間が設置され、前記電球空間の上端壁には電球が固定的に設置され、実際状況に基づいて軸の間を接触あるいは切断させることによって動作干渉を防止することができる。【選択図】図１
2020155395.tif 000002
【特許請求の範囲】
【請求項１】
固定ベースを含み、前記固定ベースの内部には第一モーターが設置され、前記第一モーターの上端には回転軸が動力が伝達できるように連結され、前記固定ベースの上端面の右側には回転ブロックが固定的に設置され、前記固定ベースの内部の右端のうち第一モーターの上端に近接するところにはギヤ空間が設置され、前記ギヤ空間の上端壁には離合空間が設置され、前記回転プレートの下端面には第一連結軸が固定的に連結され、前記第一連結軸と前記回転軸との連結部には軸を回転する時に連結させたり切断させたりする離合機構が設置され、前記回転軸には第一ベベルギヤが固定的に連結され、前記ギヤ空間の左端壁には連結空間が設置され、前記連結空間の内部には伝動空間が設置され、前記伝動空間の内部には第二伝動軸及び第三伝動軸が設置され、前記第二伝動軸の右端には圧縮空間が設置され、前記第二伝動軸の左端のうち前記ギヤ空間の内部には第二ベベルギヤが固定的に連結され、前記第二伝動軸のうち前記伝動空間の内部には前記第二伝動軸を回転する時に連結させたり切断させたりする離合機構が固定的に嵌装され、前記第三伝動軸の左端のうち圧縮空間の内部には電球の温度を下げられる冷却システムが設置され、前記回転プレートの上端面には凸レンズを反転できる反転機構が設置され、前記固定ベースの上端面の左側には立板が設置され、前記立板の右端面には頂板が設置され、前記頂板の下端面には下に開口した電球空間が設置され、前記電球空間の上端壁には電球が固定的に設置されることを特徴とする電気スタンド。
【請求項２】
前記離合機構は前記回転軸の上端及び前記第二伝動軸の左端に固定的に連結される第一ハウジングを含み、前記第一連結軸の下端及び前記第三伝動軸の右端にはいずれも第二ハウジングが嵌装され、前記第二ハウジングの内部には連結穴があり、前記連結穴の左端壁と前記回転軸の左端面との連結部及び前記連結穴の下端壁と前記第二連結軸の上端壁との連結部にはいずれもキー溝が設置され、前記キー溝の内部にはストッパーが設置され、前記第二ハウジングの下端壁の左右側にはいずれもバネ片が固定的に連結され、前記バネ片の下端面には鉄板が固定的に連結され、前記鉄板の下端壁には下に開口した載置空間が設置され、前記載置空間の内部には磁石が固定的に設置され、前記第一ハウジングの上端面の左右端にはいずれも電磁空間が設置され、前記電磁空間の内部には電磁石が固定的に設置されることを特徴とする請求項１に記載の電気スタンド。
【請求項３】
前記冷却システムは、前記第三伝動軸の左端に固定的に連結され、且つ前記圧縮空間の内部に位置する第三ベベルギヤを含み、前記圧縮空間の下端壁には第四伝動軸が設置され、前記第四伝動軸にはタービン及び第四ベベルギヤが上から順に固定的に嵌装され、前記第四ベベルギヤが前記第三ベベルギヤと噛合って伝動できるように連結され、前記圧縮空間の下端壁には第一輸液管が設置され、前記固定ベースの内部のうち前記圧縮空間の下端のところには交替空間が設置され、前記交替空間の左端壁の上端には排気管が連通して設置され、前記排気管の上端が前記固定ベースの左端面を貫通し、前記固定ベースの内部左端には貯水区が設置され、前記貯水区の上端壁には排液管が連通して設置され、前記固定ベースの左端面には水タンクが固定的に設置され、前記排液管の左端が前記固定ベースの左端面を貫通し、且つ、水タンクの右端壁に連結され、前記固定ベースの右端壁と前記排液管の左端との連結部には電気制御ドアが固定的に設置され、前記固定ベースの内部の左端のうち前記ギヤ空間の左端に近接するところにはウォータポンプが設置され、前記第一輸液管の下端が前記交替空間の下端壁を貫通し、且つ、前記ウォータポンプの下端に固定的に連結され、前記ウォータポンプの上端には第二輸液管が連通して設置され、前記頂板の内部の上端には冷却空間が設置され、前記第二輸液管の上端が前記冷却空間の左端壁に固定的に連結され、前記冷却空間の右端壁には第三輸液管が連通して設置され、前記第三輸液管の下端が前記電球空間の左端壁を貫通し、且つ、前記圧縮空間の上端壁に固定的に連結されることを特徴とする請求項１に記載の電気スタンド。
【請求項４】
前記反転機構は前記回転プレートの上端面の右側に固定的に連結されるストッププレートを含み、前記ストッププレートの後端面には第二モーターが固定的に設置され、前記第二モーターの前端には動力軸が動力が伝達できるように連結され、前記動力軸の前端には円盤が固定的に連結され、前記ストッププレートの前端面のうち前記円盤の右側に近接するところには伝送ロッドが回転できるように設置され、前記伝送ロッドの前端には第一コンロッドが固定的に連結され、前記第一コンロッドの左端には第二コンロッドがヒンジで連結され、前記第二コンロッドの左端が伝動ブロックの前端にヒンジで連結され、前記円盤の前端面にはスライダが固定的に設置され、前記第一コンロッドの内部には前後貫通するスライド領域が設置され、前記スライダが前記スライド領域の内部をスライドし、前記伝動ブロックの下端面には凸レンズが固定的に連結され、前記凸レンズの右端が前記回転プレートにヒンジで連結されることを特徴とする請求項１に記載の電気スタンド。
【発明の詳細な説明】
【技術分野】
【０００１】
本発明は生活用品分野を取り上げて、具体的には電気スタンドである。
【背景技術】
【０００２】
電気スタンドは、日常生活でよく見られる家電製品であり、従来の電気スタンドの寿命が短く、タングステンフィラメント構成のランプ管が発光する時に温度が高く、ランプ管が黒くなりやすく、且つ電気スタンドが使用される時、手がランプ管に触れやすく、やけどの危険が発生しやすく、また需要に応じて電気スタンドの明るさを増強できなく、本発明はランプ管の温度を下げ、また凸レンズにより電気スタンドの明るさを増強することができ、人が使用することに便利を与える。
【先行技術文献】
【特許文献】
【０００３】
【特許文献１】中国特許出願公開第１０２８８９４９４号明細書
【発明の概要】
【発明が解決しようとする課題】
【０００４】
本発明は電気スタンドを提供し、従来技術における上記欠点を解消することを目的とする。
【課題を解決するための手段】
【０００５】
上記の目的を実現するために、本発明は以下の技術プランを提供する：電気スタンドは、固定ベースを含み、前記固定ベースの内部には第一モーターが設置され、前記第一モーターの上端には回転軸が動力が伝達できるように連結され、前記固定ベースの上端面の右側には回転ブロックが固定的に設置され、前記固定ベースの内部の右端のうち第一モーターの上端に近接するところにはギヤ空間が設置され、前記ギヤ空間の上端壁には離合空間が設置され、前記回転プレートの下端面には第一連結軸が固定的に連結され、前記第一連結軸と前記回転軸との連結部には軸を回転する時に連結させたり切断させたりする離合機構が設置され、前記回転軸には第一ベベルギヤが固定的に連結され、前記ギヤ空間の左端壁には連結空間が設置され、前記連結空間の内部には伝動空間が設置され、前記伝動空間の内部には第二伝動軸及び第三伝動軸が設置され、前記第二伝動軸の右端には圧縮空間が設置され、前記第二伝動軸の左端のうち前記ギヤ空間の内部には第二ベベルギヤが固定的に連結され、前記第二伝動軸のうち前記伝動空間の内部には前記第二伝動軸を回転する時に連結させたり切断させたりする離合機構が固定的に嵌装され、前記第三伝動軸の左端のうち圧縮空間の内部には電球の温度を下げられる冷却システムが設置され、前記回転プレートの上端面には凸レンズを反転できる反転機構が設置され、前記固定ベースの上端面の左側には立板が設置され、前記立板の右端面には頂板が設置され、前記頂板の下端面には下に開口した電球空間が設置され、前記電球空間の上端壁には電球が固定的に設置される。
【０００６】
好ましくは、前記離合機構は前記回転軸の上端及び前記第二伝動軸の左端に固定的に連結される第一ハウジングを含み、前記第一連結軸の下端及び前記第三伝動軸の右端にはいずれも第二ハウジングが嵌装され、前記第二ハウジングの内部には連結穴があり、前記連結穴の左端壁と前記回転軸の左端面との連結部及び前記連結穴の下端壁と前記第二連結軸の上端壁との連結部にはいずれもキー溝が設置され、前記キー溝の内部にはストッパーが設置され、前記第二ハウジングの下端壁の左右側にはいずれもバネ片が固定的に連結され、前記バネ片の下端面には鉄板が固定的に連結され、前記鉄板の下端壁には下に開口した載置空間が設置され、前記載置空間の内部には磁石が固定的に設置され、前記第一ハウジングの上端面の左右端にはいずれも電磁空間が設置され、前記電磁空間の内部には電磁石が固定的に設置される。
【０００７】
好ましくは、前記冷却システムは、前記第三伝動軸の左端に固定的に連結され、且つ前記圧縮空間の内部に位置する第三ベベルギヤを含み、前記圧縮空間の下端壁には第四伝動軸が設置され、前記第四伝動軸にはタービン及び第四ベベルギヤが上から順に固定的に嵌装され、前記第四ベベルギヤが前記第三ベベルギヤと噛合って伝動できるように連結され、前記圧縮空間の下端壁には第一輸液管が設置され、前記固定ベースの内部のうち前記圧縮空間の下端のところには交替空間が設置され、前記交替空間の左端壁の上端には排気管が連通して設置され、前記排気管の上端が前記固定ベースの左端面を貫通し、前記固定ベースの内部左端には貯水区が設置され、前記貯水区の上端壁には排液管が連通して設置され、前記固定ベースの左端面には水タンクが固定的に設置され、前記排液管の左端が前記固定ベースの左端面を貫通し、且つ、水タンクの右端壁に連結され、前記固定ベースの右端壁と前記排液管の左端との連結部には電気制御ドアが固定的に設置され、前記固定ベースの内部の左端のうち前記ギヤ空間の左端に近接するところにはウォータポンプが設置され、前記第一輸液管の下端が前記交替空間の下端壁を貫通し、且つ、前記ウォータポンプの下端に固定的に連結され、前記ウォータポンプの上端には第二輸液管が連通して設置され、前記頂板の内部の上端には冷却空間が設置され、前記第二輸液管の上端が前記冷却空間の左端壁に固定的に連結され、前記冷却空間の右端壁には第三輸液管が連通して設置され、前記第三輸液管の下端が前記電球空間の左端壁を貫通し、且つ、前記圧縮空間の上端壁に固定的に連結される。
【０００８】
好ましくは、前記反転機構は前記回転プレートの上端面の右側に固定的に連結されるストッププレートを含み、前記ストッププレートの後端面には第二モーターが固定的に設置され、前記第二モーターの前端には動力軸が動力が伝達できるように連結され、前記動力軸の前端には円盤が固定的に連結され、前記ストッププレートの前端面のうち前記円盤の右側に近接するところには伝送ロッドが回転できるように設置され、前記伝送ロッドの前端には第一コンロッドが固定的に連結され、前記第一コンロッドの左端には第二コンロッドがヒンジで連結され、前記第二コンロッドの左端が伝動ブロックの前端にヒンジで連結され、前記円盤の前端面にはスライダが固定的に設置され、前記第一コンロッドの内部には前後貫通するスライド領域が設置され、前記スライダが前記スライド領域の内部をスライドし、前記伝動ブロックの下端面には凸レンズが固定的に連結され、前記凸レンズの右端が前記回転プレートにヒンジで連結される。
【発明の効果】
【０００９】
現有技術と比べ、本発明の有益効果は：本発明は実際状況に基づいて軸の間を接触あるいは切断させることによって動作干渉を防止することができ、高温時に電球の温度を持続的に下げ、これによって電球の寿命を延ばし、また光線を増強し、光線が比較的に弱い時に読書や仕事をすることに便利を与え、従来の電気スタンドと比べ、もっとユーザフレンドリである。
【図面の簡単な説明】
【００１０】
【図１】図１は本発明の正面構成模式図である；
【図２】図２は本発明のＢにおける全断面の右側面構成模式図である；
【図３】図３は図１の中のＡにおける拡大構成模式図である；
【図４】図４は図１の中のＣにおける拡大構成模式図である。
【発明を実施するための形態】
【００１１】
以下は本発明実施例の中の付図１−４を交え、本発明実施例の中の技術プランについてクリアで完全に説明し、明らかに、説明する実施例はただ本発明の実施例の一部分であり、全部の実施例ではないである。発明の実施例に基づき、本領域の普通技術者が創造的な労働を払わないことを前提に得る全部のその他の実施例は本発明の保護範囲に所属する。
【００１２】
図１−４を参照し、本発明が提供する実施例の一種である電気スタンドは、固定ベース１を含み、前記固定ベース１の内部には第一モーター９が設置され、前記第一モーター９の上端には回転軸１４が動力が伝達できるように連結され、前記固定ベース１の上端面の右側には回転ブロック１８が固定的に設置され、前記固定ベース１の内部の右端のうち第一モーター９の上端に近接するところにはギヤ空間１３が設置され、前記ギヤ空間１３の上端壁には離合空間５０が設置され、前記回転プレート１８の下端面には第一連結軸１５が固定的に連結され、前記第一連結軸１５と前記回転軸１４との連結部には軸を回転する時に連結させたり切断させたりする離合機構が設置され、前記回転軸１４には第一ベベルギヤ１１が固定的に連結され、前記ギヤ空間１３の左端壁には連結空間５１が設置され、前記連結空間５１の内部には伝動空間５７が設置され、前記伝動空間５７の内部には第二伝動軸５２及び第三伝動軸５３が設置され、前記第二伝動軸５２の右端には圧縮空間４が設置され、前記第二伝動軸５２の左端のうち前記ギヤ空間１３の内部には第二ベベルギヤ１２が固定的に連結され、前記第二伝動軸５２のうち前記伝動空間５７の内部には前記第二伝動軸５２を回転する時に連結させたり切断させたりする離合機構が固定的に嵌装され、前記第三伝動軸５３の左端のうち圧縮空間４の内部には電球の温度を下げられる冷却システムが設置され、前記回転プレート１８の上端面には凸レンズを反転できる反転機構が設置され、前記固定ベース１の上端面の左側には立板３２が設置され、前記立板３２の右端面には頂板５５が設置され、前記頂板５５の下端面には下に開口した電球空間２４が設置され、前記電球空間２４の上端壁には電球２７が固定的に設置される。
【００１３】
有益的には、前記離合機構は前記回転軸１４の上端及び前記第二伝動軸５２の左端に固定的に連結される第一ハウジング６５を含み、前記第一連結軸１５の下端及び前記第三伝動軸５３の右端にはいずれも第二ハウジング６０が嵌装され、前記第二ハウジング６０の内部には連結穴６６があり、前記連結穴６６の左端壁と前記回転軸１４の左端面との連結部及び前記連結穴６６の下端壁と前記第二連結軸５２の上端壁との連結部にはいずれもキー溝７２が設置され、前記キー溝７２の内部にはストッパー７１が設置され、前記第二ハウジング６０の下端壁の左右側にはいずれもバネ片６１が固定的に連結され、前記バネ片６１の下端面には鉄板６２が固定的に連結され、前記鉄板６２の下端壁には下に開口した載置空間６７が設置され、前記載置空間６７の内部には磁石６３が固定的に設置され、前記第一ハウジング６５の上端面の左右端にはいずれも電磁空間６８が設置され、前記電磁空間６８の内部には電磁石６８が固定的に設置され、その作用は、回転軸１４と第二伝動軸５２及び第一連結軸１５と第三伝動軸５３が閉合することが必要となる時、電磁石６８が通電し、バネ片６１の弾性により磁石６３を電磁石６８に接近させ、磁石６３と電磁石６８とを閉合させることによって一緒に回転させ、切り離すことが必要となる時、電磁石６８が電源オフ状態になり、バネ片６１の弾性により磁石６３が電磁石６８から離れ、これによって磁石６３と電磁石６８とを切り離し、当該機構を通じて軸の間を実際状況に基づいて接触あるいは切断させることによって動作干渉を防止することができる。
【００１４】
有益的には、前記冷却システムは、前記第三伝動軸５３の左端に固定的に連結され、且つ前記圧縮空間４の内部に位置する第三ベベルギヤ１０を含み、前記圧縮空間４の下端壁には第四伝動軸３が設置され、前記第四伝動軸５３にはタービン３４及び第四ベベルギヤ３８が上から順に固定的に嵌装され、前記第四ベベルギヤ３８が前記第三ベベルギヤ１０と噛合って伝動できるように連結され、前記圧縮空間４の下端壁には第一輸液管５が設置され、前記固定ベース１の内部のうち前記圧縮空間４の下端のところには交替空間７が設置され、前記交替空間７の左端壁の上端には排気管７８が連通して設置され、前記排気管７８の上端が前記固定ベース１の左端面を貫通し、前記固定ベース１の内部左端には貯水区２が設置され、前記貯水区２の上端壁には排液管８２が連通して設置され、前記固定ベース８２の左端面には水タンク３６が固定的に設置され、前記排液管８２の左端が前記固定ベース１の左端面を貫通し、且つ、水タンク３６の右端壁に連結され、前記固定ベース１の右端壁と前記排液管８２の左端との連結部には電気制御ドア３７が固定的に設置され、前記固定ベース１の内部の左端のうち前記ギヤ空間４の左端に近接するところにはウォータポンプ３３が設置され、前記第一輸液管５の下端が前記交替空間７の下端壁を貫通し、且つ、前記ウォータポンプ３３の下端に固定的に連結され、前記ウォータポンプ３３の上端には第二輸液管３１が連通して設置され、前記頂板２６の内部の上端には冷却空間２９が設置され、前記第二輸液管３３の上端が前記冷却空間２９の左端壁に固定的に連結され、前記冷却空間２９の右端壁には第三輸液管２８が連通して設置され、前記第三輸液管２８の下端が前記電球空間２４の左端壁を貫通し、且つ、前記圧縮空間４の上端壁に固定的に連結される。その作用は、電球２７を冷却することが必要となる時、第一モーター９を始動し、第一モーター９を通じて第三伝動軸５３を連動して回転させ、第三伝動軸５３が第三ベベルギヤ１０を連動して回転させ、第三ベベルギヤ１０が第四ベベルギヤ３８を連動して回転させ、第四ベベルギヤ３８がタービン３４を連動して回転させ、タービン３４の回転により吸熱気化された冷却液を吸引し、その後交替空間７を経由し、熱量を貯水区２から輸送されてきた水に伝えた後、気化された冷却液が再び液化し、水が吸熱気化した後で排気管７８から排出され、液化した後の冷却液がウォータポンプ３３を通して冷却空間２９に戻し、冷却の循環を実現し、高温時に電球の温度を持続的に下げ、これによって電球の寿命を延ばす。
【００１５】
有益的には、前記反転機構は前記回転プレート１８の上端面の右側に固定的に連結されるストッププレート２２を含み、前記ストッププレート２２の後端面には第二モーター３９が固定的に設置され、前記第二モーター３９の前端には動力軸４０が動力が伝達できるように連結され、前記動力軸４０の前端には円盤７０が固定的に連結され、前記ストッププレート２２の前端面のうち前記円盤７０の右側に近接するところには伝送ロッド４１が回転できるように設置され、前記伝送ロッド４１の前端には第一コンロッド２１が固定的に連結され、前記第一コンロッド２１の左端には第二コンロッド１９がヒンジで連結され、前記第二コンロッド１９の左端が伝動ブロック１６の前端にヒンジで連結され、前記円盤７０の前端面にはスライダ２０が固定的に設置され、前記第一コンロッド２１の内部には前後貫通するスライド領域８０が設置され、前記スライダ２０が前記スライド領域８０の内部をスライドし、前記伝動ブロック１６の下端面には凸レンズ１７が固定的に連結され、前記凸レンズ１７の右端が前記回転プレート１８にヒンジで連結され、その作用は、第二モーター３９を始動し、第二モーター３９が動力軸４０を連動して回転させ、動力軸４０が円盤７０を連動して回転させ、円盤７０がスライダ２０により第一コンロッド２１を連動して移動させ、第一コンロッド２１が第二コンロッド１９を連動して移動させ、第二コンロッド１９が凸レンズ１７を連動して後ろに反転させ、凸レンズ１７を明かりと位置合わせさせ、これによって光線を増強し、光線が比較的に弱い時に読書や仕事をすることに便利を与える。
【００１６】
本発明の実施方式：電球を冷却することが必要となる時、第一モーター９を始動し、第一モーター９により動力軸４０を連動して回転させ、動力軸４０が第一ベベルギヤ１１を連動して回転させ、第一ベベルギヤ１１が第二ベベルギヤ１２を連動して回転させ、第二ベベルギヤ１２が第三伝動軸５３を連動して回転させ、第三伝動軸５３が第三ベベルギヤ１０を連動して回転させ、第三ベベルギヤ１０が第四ベベルギヤ３８を連動して回転させ、第四ベベルギヤ３８がタービン３４を連動して回転させ、タービン３４の回転により吸熱気化された冷却液を吸引し、その後交替空間７を経由し、熱量を貯水区２から輸送されてきた水に伝えた後、気化された冷却液が再び液化し、水が吸熱気化した後で排気管７８から排出され、液化した後の冷却液がウォータポンプを通して冷却空間２９に戻し、冷却の循環を実現し、回転軸１４と第二伝動軸５２及び第一連結軸１５と第三伝動軸５３が閉合することが必要となる時、電磁石６８が通電し、バネ片６１の弾性により磁石６３を電磁石６８に接近させ、磁石６３と電磁石６８とを閉合させることによって一緒に回転させ、切り離すことが必要となる時、電磁石６８が電源オフ状態になり、バネ片６１の弾性により磁石６３が電磁石６８から離れ、これによって磁石６３と電磁石６８とを切り離し、第二モーター３９を始動し、第二モーター３９が動力軸４０を連動して回転させ、動力軸４０が円盤７０を連動して回転させ、円盤７０がスライダ２０により第一コンロッド２１を連動して移動させ、第一コンロッド２１が第二コンロッド１９を連動して移動させ、第二コンロッド１９が凸レンズ１７を連動して後ろに反転させ、凸レンズ１７を明かりと位置合わせさせる。
【００１７】
有益効果：本発明は実際状況に基づいて軸の間を接触あるいは切断させることによって動作干渉を防止することができ、高温時に電球の温度を持続的に下げ、これによって電球の寿命を延ばし、また光線を増強し、光線が比較的に弱い時に読書や仕事をすることに便利を与え、従来の電気スタンドと比べ、もっとユーザフレンドリである。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020155395.tif 000003
【図２】
2020155395.tif 000004
【図３】
2020155395.tif 000005
【図４】
2020155395.tif 000006
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
固定ベースを含み、前記固定ベースの内部には第一モーターが設置され、前記第一モーターの上端には回転軸が動力が伝達できるように連結され、前記固定ベースの上端面の右側には回転ブロックが固定的に設置され、前記固定ベースの内部の右端のうち第一モーターの上端に近接するところにはギヤ空間が設置され、前記ギヤ空間の上端壁には離合空間が設置され、前記回転ブロックの下端面には第一連結軸が固定的に連結され、前記第一連結軸と前記回転軸との連結部には軸を回転する時に連結させたり切断させたりする離合機構が設置され、前記回転軸には第一ベベルギヤが固定的に連結され、前記ギヤ空間の左端壁には連結空間が設置され、前記連結空間の内部には伝動空間が設置され、前記伝動空間の内部には第二伝動軸及び第三伝動軸が設置され、前記第二伝動軸の右端には圧縮空間が設置され、前記第二伝動軸の左端のうち前記ギヤ空間の内部には第二ベベルギヤが固定的に連結され、前記第二伝動軸のうち前記伝動空間の内部には前記第二伝動軸を回転する時に連結させたり切断させたりする離合機構が固定的に嵌装され、前記第三伝動軸の左端のうち圧縮空間の内部には電球の温度を下げられる冷却システムが設置され、前記回転ブロックの上端面には凸レンズを反転できる反転機構が設置され、前記固定ベースの上端面の左側には立板が設置され、前記立板の右端面には頂板が設置され、前記頂板の下端面には下に開口した電球空間が設置され、前記電球空間の上端壁には電球が固定的に設置されることを特徴とする電気スタンド。
【請求項２】
前記離合機構は前記回転軸の上端及び前記第二伝動軸の左端に固定的に連結される第一ハウジングを含み、前記第一連結軸の下端及び前記第三伝動軸の右端にはいずれも第二ハウジングが嵌装され、前記第二ハウジングの内部には連結穴があり、前記連結穴の左端壁と前記回転軸の左端面との連結部及び前記連結穴の下端壁と前記第二伝動軸の上端壁との連結部にはいずれもキー溝が設置され、前記キー溝の内部にはストッパーが設置され、前記第二ハウジングの下端壁の左右側にはいずれもバネ片が固定的に連結され、前記バネ片の下端面には鉄板が固定的に連結され、前記鉄板の下端壁には下に開口した載置空間が設置され、前記載置空間の内部には磁石が固定的に設置され、前記第一ハウジングの上端面の左右端にはいずれも電磁空間が設置され、前記電磁空間の内部には電磁石が固定的に設置されることを特徴とする請求項１に記載の電気スタンド。
【請求項３】
前記冷却システムは、前記第三伝動軸の左端に固定的に連結され、且つ前記圧縮空間の内部に位置する第三ベベルギヤを含み、前記圧縮空間の下端壁には第四伝動軸が設置され、前記第四伝動軸にはタービン及び第四ベベルギヤが上から順に固定的に嵌装され、前記第四ベベルギヤが前記第三ベベルギヤと噛合って伝動できるように連結され、前記圧縮空間の下端壁には第一輸液管が設置され、前記固定ベースの内部のうち前記圧縮空間の下端のところには交替空間が設置され、前記交替空間の左端壁の上端には排気管が連通して設置され、前記排気管の上端が前記固定ベースの左端面を貫通し、前記固定ベースの内部左端には貯水区が設置され、前記貯水区の上端壁には排液管が連通して設置され、前記固定ベースの左端面には水タンクが固定的に設置され、前記排液管の左端が前記固定ベースの左端面を貫通し、且つ、水タンクの右端壁に連結され、前記固定ベースの右端壁と前記排液管の左端との連結部には電気制御ドアが固定的に設置され、前記固定ベースの内部の左端のうち前記ギヤ空間の左端に近接するところにはウォータポンプが設置され、前記第一輸液管の下端が前記交替空間の下端壁を貫通し、且つ、前記ウォータポンプの下端に固定的に連結され、前記ウォータポンプの上端には第二輸液管が連通して設置され、前記頂板の内部の上端には冷却空間が設置され、前記第二輸液管の上端が前記冷却空間の左端壁に固定的に連結され、前記冷却空間の右端壁には第三輸液管が連通して設置され、前記第三輸液管の下端が前記電球空間の左端壁を貫通し、且つ、前記圧縮空間の上端壁に固定的に連結されることを特徴とする請求項１に記載の電気スタンド。
【請求項４】
前記反転機構は前記回転ブロックの上端面の右側に固定的に連結されるストッププレートを含み、前記ストッププレートの後端面には第二モーターが固定的に設置され、前記第二モーターの前端には動力軸が動力が伝達できるように連結され、前記動力軸の前端には円盤が固定的に連結され、前記ストッププレートの前端面のうち前記円盤の右側に近接するところには伝送ロッドが回転できるように設置され、前記伝送ロッドの前端には第一コンロッドが固定的に連結され、前記第一コンロッドの左端には第二コンロッドがヒンジで連結され、前記第二コンロッドの左端が伝動ブロックの前端にヒンジで連結され、前記円盤の前端面にはスライダが固定的に設置され、前記第一コンロッドの内部には前後貫通するスライド領域が設置され、前記スライダが前記スライド領域の内部をスライドし、前記伝動ブロックの下端面には凸レンズが固定的に連結され、前記凸レンズの右端が前記回転ブロックにヒンジで連結されることを特徴とする請求項１に記載の電気スタンド。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には電気スタンドである。
【背景技術】
【０００２】
電気スタンドは、日常生活でよく見られる家電製品であり、従来の電気スタンドの寿命が短く、タングステンフィラメント構成のランプ管が発光する時に温度が高く、ランプ管が黒くなりやすく、且つ電気スタンドが使用される時、手がランプ管に触れやすく、やけどの危険が発生しやすく、また需要に応じて電気スタンドの明るさを増強できなく、本発明はランプ管の温度を下げ、また凸レンズにより電気スタンドの明るさを増強することができ、人が使用することに便利を与える。
【先行技術文献】
【特許文献】
【０００３】
【特許文献１】中国特許出願公開第１０２８８９４９４号明細書
【発明の概要】
【発明が解決しようとする課題】
【０００４】
本発明は電気スタンドを提供し、従来技術における上記欠点を解消することを目的とする。
【課題を解決するための手段】
【０００５】
上記の目的を実現するために、本発明は以下の技術プランを提供する：電気スタンドは、固定ベースを含み、前記固定ベースの内部には第一モーターが設置され、前記第一モーターの上端には回転軸が動力が伝達できるように連結され、前記固定ベースの上端面の右側には回転ブロックが固定的に設置され、前記固定ベースの内部の右端のうち第一モーターの上端に近接するところにはギヤ空間が設置され、前記ギヤ空間の上端壁には離合空間が設置され、前記回転ブロックの下端面には第一連結軸が固定的に連結され、前記第一連結軸と前記回転軸との連結部には軸を回転する時に連結させたり切断させたりする離合機構が設置され、前記回転軸には第一ベベルギヤが固定的に連結され、前記ギヤ空間の左端壁には連結空間が設置され、前記連結空間の内部には伝動空間が設置され、前記伝動空間の内部には第二伝動軸及び第三伝動軸が設置され、前記第二伝動軸の右端には圧縮空間が設置され、前記第二伝動軸の左端のうち前記ギヤ空間の内部には第二ベベルギヤが固定的に連結され、前記第二伝動軸のうち前記伝動空間の内部には前記第二伝動軸を回転する時に連結させたり切断させたりする離合機構が固定的に嵌装され、前記第三伝動軸の左端のうち圧縮空間の内部には電球の温度を下げられる冷却システムが設置され、前記回転ブロックの上端面には凸レンズを反転できる反転機構が設置され、前記固定ベースの上端面の左側には立板が設置され、前記立板の右端面には頂板が設置され、前記頂板の下端面には下に開口した電球空間が設置され、前記電球空間の上端壁には電球が固定的に設置される。
【０００６】
好ましくは、前記離合機構は前記回転軸の上端及び前記第二伝動軸の左端に固定的に連結される第一ハウジングを含み、前記第一連結軸の下端及び前記第三伝動軸の右端にはいずれも第二ハウジングが嵌装され、前記第二ハウジングの内部には連結穴があり、前記連結穴の左端壁と前記回転軸の左端面との連結部及び前記連結穴の下端壁と前記第二伝動軸の上端壁との連結部にはいずれもキー溝が設置され、前記キー溝の内部にはストッパーが設置され、前記第二ハウジングの下端壁の左右側にはいずれもバネ片が固定的に連結され、前記バネ片の下端面には鉄板が固定的に連結され、前記鉄板の下端壁には下に開口した載置空間が設置され、前記載置空間の内部には磁石が固定的に設置され、前記第一ハウジングの上端面の左右端にはいずれも電磁空間が設置され、前記電磁空間の内部には電磁石が固定的に設置される。
【０００７】
好ましくは、前記冷却システムは、前記第三伝動軸の左端に固定的に連結され、且つ前記圧縮空間の内部に位置する第三ベベルギヤを含み、前記圧縮空間の下端壁には第四伝動軸が設置され、前記第四伝動軸にはタービン及び第四ベベルギヤが上から順に固定的に嵌装され、前記第四ベベルギヤが前記第三ベベルギヤと噛合って伝動できるように連結され、前記圧縮空間の下端壁には第一輸液管が設置され、前記固定ベースの内部のうち前記圧縮空間の下端のところには交替空間が設置され、前記交替空間の左端壁の上端には排気管が連通して設置され、前記排気管の上端が前記固定ベースの左端面を貫通し、前記固定ベースの内部左端には貯水区が設置され、前記貯水区の上端壁には排液管が連通して設置され、前記固定ベースの左端面には水タンクが固定的に設置され、前記排液管の左端が前記固定ベースの左端面を貫通し、且つ、水タンクの右端壁に連結され、前記固定ベースの右端壁と前記排液管の左端との連結部には電気制御ドアが固定的に設置され、前記固定ベースの内部の左端のうち前記ギヤ空間の左端に近接するところにはウォータポンプが設置され、前記第一輸液管の下端が前記交替空間の下端壁を貫通し、且つ、前記ウォータポンプの下端に固定的に連結され、前記ウォータポンプの上端には第二輸液管が連通して設置され、前記頂板の内部の上端には冷却空間が設置され、前記第二輸液管の上端が前記冷却空間の左端壁に固定的に連結され、前記冷却空間の右端壁には第三輸液管が連通して設置され、前記第三輸液管の下端が前記電球空間の左端壁を貫通し、且つ、前記圧縮空間の上端壁に固定的に連結される。
【０００８】
好ましくは、前記反転機構は前記回転ブロックの上端面の右側に固定的に連結されるストッププレートを含み、前記ストッププレートの後端面には第二モーターが固定的に設置され、前記第二モーターの前端には動力軸が動力が伝達できるように連結され、前記動力軸の前端には円盤が固定的に連結され、前記ストッププレートの前端面のうち前記円盤の右側に近接するところには伝送ロッドが回転できるように設置され、前記伝送ロッドの前端には第一コンロッドが固定的に連結され、前記第一コンロッドの左端には第二コンロッドがヒンジで連結され、前記第二コンロッドの左端が伝動ブロックの前端にヒンジで連結され、前記円盤の前端面にはスライダが固定的に設置され、前記第一コンロッドの内部には前後貫通するスライド領域が設置され、前記スライダが前記スライド領域の内部をスライドし、前記伝動ブロックの下端面には凸レンズが固定的に連結され、前記凸レンズの右端が前記回転ブロックにヒンジで連結される。
【発明の効果】
【０００９】
現有技術と比べ、本発明の有益効果は：本発明は実際状況に基づいて軸の間を接触あるいは切断させることによって動作干渉を防止することができ、高温時に電球の温度を持続的に下げ、これによって電球の寿命を延ばし、また光線を増強し、光線が比較的に弱い時に読書や仕事をすることに便利を与え、従来の電気スタンドと比べ、もっとユーザフレンドリである。
【図面の簡単な説明】
【００１０】
【図１】図１は本発明の正面構成模式図である；
【図２】図２は本発明のＢにおける全断面の右側面構成模式図である；
【図３】図３は図１の中のＡにおける拡大構成模式図である；
【図４】図４は図１の中のＣにおける拡大構成模式図である。
【発明を実施するための形態】
【００１１】
以下は本発明実施例の中の付図１−４を交え、本発明実施例の中の技術プランについてクリアで完全に説明し、明らかに、説明する実施例はただ本発明の実施例の一部分であり、全部の実施例ではないである。発明の実施例に基づき、本領域の普通技術者が創造的な労働を払わないことを前提に得る全部のその他の実施例は本発明の保護範囲に所属する。
【００１２】
図１−４を参照し、本発明が提供する実施例の一種である電気スタンドは、固定ベース１を含み、前記固定ベース１の内部には第一モーター９が設置され、前記第一モーター９の上端には回転軸１４が動力が伝達できるように連結され、前記固定ベース１の上端面の右側には回転ブロック１８が固定的に設置され、前記固定ベース１の内部の右端のうち第一モーター９の上端に近接するところにはギヤ空間１３が設置され、前記ギヤ空間１３の上端壁には離合空間５０が設置され、前記回転ブロック１８の下端面には第一連結軸１５が固定的に連結され、前記第一連結軸１５と前記回転軸１４との連結部には軸を回転する時に連結させたり切断させたりする離合機構が設置され、前記回転軸１４には第一ベベルギヤ１１が固定的に連結され、前記ギヤ空間１３の左端壁には連結空間５１が設置され、前記連結空間５１の内部には伝動空間５７が設置され、前記伝動空間５７の内部には第二伝動軸５２及び第三伝動軸５３が設置され、前記第二伝動軸５２の右端には圧縮空間４が設置され、前記第二伝動軸５２の左端のうち前記ギヤ空間１３の内部には第二ベベルギヤ１２が固定的に連結され、前記第二伝動軸５２のうち前記伝動空間５７の内部には前記第二伝動軸５２を回転する時に連結させたり切断させたりする離合機構が固定的に嵌装され、前記第三伝動軸５３の左端のうち圧縮空間４の内部には電球の温度を下げられる冷却システムが設置され、前記回転ブロック１８の上端面には凸レンズを反転できる反転機構が設置され、前記固定ベース１の上端面の左側には立板３２が設置され、前記立板３２の右端面には頂板５５が設置され、前記頂板５５の下端面には下に開口した電球空間２４が設置され、前記電球空間２４の上端壁には電球２７が固定的に設置される。
【００１３】
有益的には、前記離合機構は前記回転軸１４の上端及び前記第二伝動軸５２の左端に固定的に連結される第一ハウジング６５を含み、前記第一連結軸１５の下端及び前記第三伝動軸５３の右端にはいずれも第二ハウジング６０が嵌装され、前記第二ハウジング６０の内部には連結穴６６があり、前記連結穴６６の左端壁と前記回転軸１４の左端面との連結部及び前記連結穴６６の下端壁と前記第二伝動軸５２の上端壁との連結部にはいずれもキー溝７２が設置され、前記キー溝７２の内部にはストッパー７１が設置され、前記第二ハウジング６０の下端壁の左右側にはいずれもバネ片６１が固定的に連結され、前記バネ片６１の下端面には鉄板６２が固定的に連結され、前記鉄板６２の下端壁には下に開口した載置空間６７が設置され、前記載置空間６７の内部には磁石６３が固定的に設置され、前記第一ハウジング６５の上端面の左右端にはいずれも電磁空間６８が設置され、前記電磁空間６８の内部には電磁石６８が固定的に設置され、その作用は、回転軸１４と第二伝動軸５２及び第一連結軸１５と第三伝動軸５３が閉合することが必要となる時、電磁石６８が通電し、バネ片６１の弾性により磁石６３を電磁石６８に接近させ、磁石６３と電磁石６８とを閉合させることによって一緒に回転させ、切り離すことが必要となる時、電磁石６８が電源オフ状態になり、バネ片６１の弾性により磁石６３が電磁石６８から離れ、これによって磁石６３と電磁石６８とを切り離し、当該機構を通じて軸の間を実際状況に基づいて接触あるいは切断させることによって動作干渉を防止することができる。
【００１４】
有益的には、前記冷却システムは、前記第三伝動軸５３の左端に固定的に連結され、且つ前記圧縮空間４の内部に位置する第三ベベルギヤ１０を含み、前記圧縮空間４の下端壁には第四伝動軸３が設置され、前記第四伝動軸５３にはタービン３４及び第四ベベルギヤ３８が上から順に固定的に嵌装され、前記第四ベベルギヤ３８が前記第三ベベルギヤ１０と噛合って伝動できるように連結され、前記圧縮空間４の下端壁には第一輸液管５が設置され、前記固定ベース１の内部のうち前記圧縮空間４の下端のところには交替空間７が設置され、前記交替空間７の左端壁の上端には排気管７８が連通して設置され、前記排気管７８の上端が前記固定ベース１の左端面を貫通し、前記固定ベース１の内部左端には貯水区２が設置され、前記貯水区２の上端壁には排液管８２が連通して設置され、前記固定ベース８２の左端面には水タンク３６が固定的に設置され、前記排液管８２の左端が前記固定ベース１の左端面を貫通し、且つ、水タンク３６の右端壁に連結され、前記固定ベース１の右端壁と前記排液管８２の左端との連結部には電気制御ドア３７が固定的に設置され、前記固定ベース１の内部の左端のうち前記ギヤ空間４の左端に近接するところにはウォータポンプ３３が設置され、前記第一輸液管５の下端が前記交替空間７の下端壁を貫通し、且つ、前記ウォータポンプ３３の下端に固定的に連結され、前記ウォータポンプ３３の上端には第二輸液管３１が連通して設置され、前記頂板２６の内部の上端には冷却空間２９が設置され、前記第二輸液管３３の上端が前記冷却空間２９の左端壁に固定的に連結され、前記冷却空間２９の右端壁には第三輸液管２８が連通して設置され、前記第三輸液管２８の下端が前記電球空間２４の左端壁を貫通し、且つ、前記圧縮空間４の上端壁に固定的に連結される。その作用は、電球２７を冷却することが必要となる時、第一モーター９を始動し、第一モーター９を通じて第三伝動軸５３を連動して回転させ、第三伝動軸５３が第三ベベルギヤ１０を連動して回転させ、第三ベベルギヤ１０が第四ベベルギヤ３８を連動して回転させ、第四ベベルギヤ３８がタービン３４を連動して回転させ、タービン３４の回転により吸熱気化された冷却液を吸引し、その後交替空間７を経由し、熱量を貯水区２から輸送されてきた水に伝えた後、気化された冷却液が再び液化し、水が吸熱気化した後で排気管７８から排出され、液化した後の冷却液がウォータポンプ３３を通して冷却空間２９に戻し、冷却の循環を実現し、高温時に電球の温度を持続的に下げ、これによって電球の寿命を延ばす。
【００１５】
有益的には、前記反転機構は前記回転ブロック１８の上端面の右側に固定的に連結されるストッププレート２２を含み、前記ストッププレート２２の後端面には第二モーター３９が固定的に設置され、前記第二モーター３９の前端には動力軸４０が動力が伝達できるように連結され、前記動力軸４０の前端には円盤７０が固定的に連結され、前記ストッププレート２２の前端面のうち前記円盤７０の右側に近接するところには伝送ロッド４１が回転できるように設置され、前記伝送ロッド４１の前端には第一コンロッド２１が固定的に連結され、前記第一コンロッド２１の左端には第二コンロッド１９がヒンジで連結され、前記第二コンロッド１９の左端が伝動ブロック１６の前端にヒンジで連結され、前記円盤７０の前端面にはスライダ２０が固定的に設置され、前記第一コンロッド２１の内部には前後貫通するスライド領域８０が設置され、前記スライダ２０が前記スライド領域８０の内部をスライドし、前記伝動ブロック１６の下端面には凸レンズ１７が固定的に連結され、前記凸レンズ１７の右端が前記回転ブロック１８にヒンジで連結され、その作用は、第二モーター３９を始動し、第二モーター３９が動力軸４０を連動して回転させ、動力軸４０が円盤７０を連動して回転させ、円盤７０がスライダ２０により第一コンロッド２１を連動して移動させ、第一コンロッド２１が第二コンロッド１９を連動して移動させ、第二コンロッド１９が凸レンズ１７を連動して後ろに反転させ、凸レンズ１７を明かりと位置合わせさせ、これによって光線を増強し、光線が比較的に弱い時に読書や仕事をすることに便利を与える。
【００１６】
本発明の実施方式：電球を冷却することが必要となる時、第一モーター９を始動し、第一モーター９により動力軸４０を連動して回転させ、動力軸４０が第一ベベルギヤ１１を連動して回転させ、第一ベベルギヤ１１が第二ベベルギヤ１２を連動して回転させ、第二ベベルギヤ１２が第三伝動軸５３を連動して回転させ、第三伝動軸５３が第三ベベルギヤ１０を連動して回転させ、第三ベベルギヤ１０が第四ベベルギヤ３８を連動して回転させ、第四ベベルギヤ３８がタービン３４を連動して回転させ、タービン３４の回転により吸熱気化された冷却液を吸引し、その後交替空間７を経由し、熱量を貯水区２から輸送されてきた水に伝えた後、気化された冷却液が再び液化し、水が吸熱気化した後で排気管７８から排出され、液化した後の冷却液がウォータポンプを通して冷却空間２９に戻し、冷却の循環を実現し、回転軸１４と第二伝動軸５２及び第一連結軸１５と第三伝動軸５３が閉合することが必要となる時、電磁石６８が通電し、バネ片６１の弾性により磁石６３を電磁石６８に接近させ、磁石６３と電磁石６８とを閉合させることによって一緒に回転させ、切り離すことが必要となる時、電磁石６８が電源オフ状態になり、バネ片６１の弾性により磁石６３が電磁石６８から離れ、これによって磁石６３と電磁石６８とを切り離し、第二モーター３９を始動し、第二モーター３９が動力軸４０を連動して回転させ、動力軸４０が円盤７０を連動して回転させ、円盤７０がスライダ２０により第一コンロッド２１を連動して移動させ、第一コンロッド２１が第二コンロッド１９を連動して移動させ、第二コンロッド１９が凸レンズ１７を連動して後ろに反転させ、凸レンズ１７を明かりと位置合わせさせる。
【００１７】
有益効果：本発明は実際状況に基づいて軸の間を接触あるいは切断させることによって動作干渉を防止することができ、高温時に電球の温度を持続的に下げ、これによって電球の寿命を延ばし、また光線を増強し、光線が比較的に弱い時に読書や仕事をすることに便利を与え、従来の電気スタンドと比べ、もっとユーザフレンドリである。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。